(57)【特許請求の範囲】
【請求項１】
互いに平行する一対のダイポールアンテナパターンを長方形状の誘電体基板に形成した第１および第２のプリント化ダイポールアンテナと、
前記第１および第２のプリント化ダイポールアンテナの各ダイポールアンテナパターンにそれぞれ接続される並列給電回路パターンを誘電体基板に形成したプリント化給電回路と、を備え、
前記第１および第２のプリント化ダイポールアンテナにおける一対のダイポールアンテナパターンは、それらのアンテナの誘電体基板の長手方向軸線に沿うように、かつ、該軸線を中心として対称に位置するように形成され、
前記第１、第２のプリント化ダイポールアンテナの誘電体基板を、それらに形成された前記各ダイポールアンテナパターン相互が対向するように平行配置するとともに、前記第１、第２のプリント化ダイポールアンテナの誘電体基板と前記プリント化給電回路の誘電体基板とがＨ状の断面を形成するように、前記プリント化給電回路の誘電体基板の一側および他側を前記対向する第１、第２のプリント化ダイポールアンテナの誘電体基板の長手方向軸線上にそれぞれ位置させたことを特徴とする無指向アンテナ。
【請求項２】
前記第１および第２のプリント化ダイポールアンテナにおける各ダイポールアンテナパターンの側方に、これらのダイポールアンテナパターンよりも長さの短かいダイポールアンテナパターンをそれぞれ平行かつ隣接して形成し、
前記長さの短かい各ダイポールアンテナパターンを前記給電回路パターンに接続したことを特徴とする請求項１に記載の無指向アンテナ。
【請求項３】
前記第１および第２のプリント化ダイポールアンテナにおける各ダイポールアンテナパターンの側方に、これらのダイポールアンテナパターンよりも長さの短かいダイポールアンテナパターンをそれぞれ平行かつ隣接して形成し、
前記長さの短かい各ダイポールアンテナパターンを前記給電回路パターンから切離したことを特徴とする請求項１に記載の無指向アンテナ。
【請求項４】
前記第１および第２のプリント化ダイポールアンテナにおける各ダイポールアンテナパターンの一部を切欠いて、これらの各ダイポールアンテナパターン内にこれらのダイポールアンテナパターンよりも長さの短いダイポールアンテナパターンをそれぞれ形成し、
前記長さの短かい各ダイポールアンテナパターンを前記給電回路パターンに接続したことを特徴とする請求項１に記載の無指向アンテナ。
【請求項５】
互いに平行する一対のダイポールアンテナパターンを長方形状の誘電体基板の長手方向に複数対縦続形成してなる第１および第２のプリント化ダイポールアレーアンテナと、
前記第１および第２のプリント化ダイポールアレーアンテナの各ダイポールアンテナパターンにそれぞれ接続される並列給電回路パターンを誘電体基板に形成したプリント化給電回路と、を備え、
前記第１および第２のプリント化ダイポールアンテナにおける一対のダイポールアンテナパターンは、それらのアンテナの誘電体基板の長手方向軸線に沿うように、かつ、該軸線を中心として対称に位置するように形成され、
前記第１、第２のプリント化ダイポールアレーアンテナの誘電体基板を、それらに形成された前記各ダイポールアンテナパターン相互が対向するように平行配置するとともに、前記第１、第２のプリント化ダイポールアレーアンテナの誘電体基板と前記プリント化給電回路の誘電体基板とがＨ状の断面を形成するように、前記プリント化給電回路の誘電体基板の一側および他側を前記対向する第１、第２のプリント化ダイポールアレーアンテナの誘電体基板の長手方向軸線上にそれぞれ位置させたことを特徴とする無指向アンテナ。
【請求項６】
前記第１および第２のプリント化ダイポールアレーアンテナにおける各ダイポールアンテナパターンの側方に、これらのダイポールアンテナパターンよりも長さの短かいダイポールアンテナパターンをそれぞれ平行かつ隣接して形成し、
前記長さの短かい各ダイポールアンテナパターンを前記給電回路パターンに接続したことを特徴とする請求項５に記載の無指向アンテナ。
【請求項７】
前記第１および第２のプリント化ダイポールアレーアンテナにおける各ダイポールアンテナパターンの側方に、これらのダイポールアンテナパターンよりも長さの短かいダイポールアンテナパターンをそれぞれ平行かつ隣接して形成し、
前記長さの短かい各ダイポールアンテナパターンを前記給電回路パターンから切離したことを特徴とする請求項５に記載の無指向アンテナ。
【請求項８】
前記第１および第２のプリント化ダイポールアレーアンテナにおける各ダイポールアンテナパターンの一部を切欠いて、これらの各ダイポールアンテナパターン内にこれらのダイポールアンテナパターンよりも長さの短いダイポールアンテナパターンをそれぞれ形成し、
前記長さの短かい各ダイポールアンテナパターンを前記給電回路パターンに接続したことを特徴とする請求項５に記載の無指向アンテナ。
【請求項９】
前記第１および第２のプリント化ダイポールアレーアンテナにおける各ダイポールアンテナパターンの対間に、それぞれシールドポストパターンを形成したことを特徴とする請求項５ないし８のいずれかに記載の無指向アンテナ。
【請求項１０】
前記プリント化給電回路の給電回路パターンが、該給電回路の基板の長手方向に沿うグランドパターンを備え、導電体からなるカバープレートをこのグランドパターンに対向して配設して、該カバープレートと前記グランドパターン間に形成されるスペースに給電ケーブルを配設するようにしたことを特徴とする請求項５ないし９のいずれかに記載の無指向アンテナ。
【発明の詳細な説明】
【０００１】
【発明の属する技術分野】
本発明は、プリント化された無指向アンテナに関するものである。
【０００２】
【従来の技術】
携帯電話用簡易基地局等においては、垂直ダイポールアンテナ等を組合わせた無指向アンテナが使用されている。
【０００３】
【発明が解決しようとする課題】
従来の無指向アンテナは、構造が複雑であるので、小型かつコンパクトに構成することが困難である。特に、アレー状に構成した場合には、一層構造が複雑になり、かつ、給電線の配設に手間を要することになる。
本発明は、このような状況に鑑みてなされたものであり、小型かつコンパクトに構成することができる無指向アンテナを提供することを目的としている。
【０００４】
【課題を解決するための手段】
本発明は、互いに平行する一対のダイポールアンテナパターンを長方形状の誘電体基板に形成した第１および第２のプリント化ダイポールアンテナと、前記第１および第２のプリント化ダイポールアンテナの各ダイポールアンテナパターンにそれぞれ接続される並列給電回路パターンを誘電体基板に形成したプリント化給電回路と、を備え、前記第１および第２のプリント化ダイポールアンテナにおける一対のダイポールアンテナパターンは、それらのアンテナの誘電体基板の長手方向軸線に沿うように、かつ、該軸線を中心として対称に位置するように形成され、前記第１、第２のプリント化ダイポールアンテナの誘電体基板を、それらに形成された前記各ダイポールアンテナパターン相互が対向するように平行配置するとともに、前記第１、第２のプリント化ダイポールアンテナの誘電体基板と前記プリント化給電回路の誘電体基板とがＨ状の断面を形成するように、前記プリント化給電回路の誘電体基板の一側および他側を前記対向する第１、第２のプリント化ダイポールアンテナの誘電体基板の長手方向軸線上にそれぞれ位置させている。
【０００５】
この発明によれば、第１のプリント化ダイポールアンテナの基板、第２のプリント化ダイポールアンテナの基板、およびプリント化給電回路の基板がＨ状の断面を形成するように配置されるので、小型かつコンパクトな無指向アンテナが構成される。
【０００６】
上記第１および第２のプリント化ダイポールアンテナにおける各ダイポールアンテナパターンの側方に、これらのダイポールアンテナパターンよりも長さの短かいダイポールアンテナパターンをそれぞれ平行かつ隣接して形成し、この長さの短かい各ダイポールアンテナパターンを前記給電回路パターンに接続するように構成することができる。この構成によれば、複数の周波に共用することが可能になる。
【０００７】
上記第１および第２のプリント化ダイポールアンテナにおける各ダイポールアンテナパターンの側方に、これらのダイポールアンテナパターンよりも長さの短かいダイポールアンテナパターンをそれぞれ平行かつ隣接して形成し、この長さの短かい各ダイポールアンテナパターンを前記給電回路パターンから切離すように構成することができる。この構成によれば、上記長さの短かい各ダイポールアンテナパターンが共振動作するため、やはり、複数の周波に共用することが可能になる。
【０００８】
上記第１および第２のプリント化ダイポールアンテナにおける各ダイポールアンテナパターンの一部を切欠いて、これらの各ダイポールアンテナパターン内にこれらのダイポールアンテナパターンよりも長さの短いダイポールアンテナパターンをそれぞれ形成し、上記長さの短かい各ダイポールアンテナパターンを上記給電回路パターンに接続するように構成することができる。この構成によれば、複数の周波に共用する機能をよりコンパクトな構成で実現することができる。
【０００９】
本発明は、互いに平行する一対のダイポールアンテナパターンを長方形状の誘電体基板の長手方向に複数対縦続形成してなる第１および第２のプリント化ダイポールアレーアンテナと、前記第１および第２のプリント化ダイポールアレーアンテナの各ダイポールアンテナパターンにそれぞれ接続される並列給電回路パターンを誘電体基板に形成したプリント化給電回路と、を備え、前記第１および第２のプリント化ダイポールアンテナにおける一対のダイポールアンテナパターンは、それらのアンテナの誘電体基板の長手方向軸線に沿うように、かつ、該軸線を中心として対称に位置するように形成され、前記第１、第２のプリント化ダイポールアレーアンテナの誘電体基板を、それらに形成された前記各ダイポールアンテナパターン相互が対向するように平行配置するとともに、前記第１、第２のプリント化ダイポールアレーアンテナの誘電体基板と前記プリント化給電回路の誘電体基板とがＨ状の断面を形成するように、前記プリント化給電回路の誘電体基板の一側および他側を前記対向する第１、第２のプリント化ダイポールアレーアンテナの誘電体基板の長手方向軸線上にそれぞれ位置させている。
【００１０】
この発明によれば、第１のプリント化ダイポールアレーアンテナの基板、第２のプリント化ダイポールアレーアンテナの基板、およびプリント化給電回路の基板がＨ状の断面を形成するように配置されるので、小型かつコンパクトなアレー構成の無指向アンテナが構成される。
【００１１】
上記第１および第２のプリント化ダイポールアレーアンテナにおける各ダイポールアンテナパターンの側方に、これらのダイポールアンテナパターンよりも長さの短かいダイポールアンテナパターンをそれぞれ平行かつ隣接して形成し、この長さの短かい各ダイポールアンテナパターンを前記給電回路パターンに接続するように構成することができる。この構成によれば、複数の周波に共用することが可能になる。
【００１２】
上記第１および第２のプリント化ダイポールアレーアンテナにおける各ダイポールアンテナパターンの側方に、これらのダイポールアンテナパターンよりも長さの短かいダイポールアンテナパターンをそれぞれ平行かつ隣接して形成し、この長さの短かい各ダイポールアンテナパターンを前記給電回路パターンから切離すように構成することができる。この構成によれば、上記長さの短かい各ダイポールアンテナパターンが共振動作するので、やはり、複数の周波に共用することが可能になる。
【００１３】
上記第１および第２のプリント化ダイポールアレーアンテナにおける各ダイポールアンテナパターンの一部を切欠いて、これらの各ダイポールアンテナパターン内にこれらのダイポールアンテナパターンよりも長さの短いダイポールアンテナパターンをそれぞれ形成し、前記長さの短かい各ダイポールアンテナパターンを前記給電回路パターンに接続するように構成することができる。この構成によれば、複数の周波に共用する機能をよりコンパクトに実現することができる。
【００１４】
上記第１および第２のプリント化ダイポールアレーアンテナにおける各ダイポールアンテナパターンの対間に、それぞれシールドポストパターンを形成することができる。この構成によれば、隣接するダイポールアンテナパターンの対間における干渉を抑制して、Ｖ．Ｓ．Ｗ．Ｒ特性をより向上することができる。
【００１５】
上記プリント化給電回路の給電回路パターンが、該給電回路の基板の長手方向に沿うグランドパターンを備え、導電体からなるカバープレートをこのグランドパターンに対向して配設して、該カバープレートと前記グランドパターン間に形成されるスペースに給電ケーブルを配設するように構成することができる。この構成によれば、給電ケーブルによる影響を少なくすることができる。
【００１６】
【発明の実施の形態】
図１は、本発明に係る無指向アンテナの実施の形態を示す断面図である。なお、このアンテナは、例えば、携帯電話用簡易基地局等において使用される。
この無指向アンテナは、一対のプリント化ダイポールアンテナ１０，１０をプリント化給電回路２０を介して対向配設し、これらをＦＲＰ等からなるカバー３０内に収容した構成を有する。
【００１７】
プリント化ダイポールアンテナ１０は、図２に示すように、長方形状の誘電体基板１１上に一対のダイポールアンテナパターン１２，１２と、このダイポールアンテナパターン１２，１２よりは長さの短い一対のダイポールアンテナパターン１３，１３とをそれぞれ薄膜導体で形成した構成を有する。
【００１８】
なお、この実施の形態では、ダイポールアンテナパターン１２を８８５ＭＨｚを中心周波数とする８１０〜９６０ＭＨｚの周波数帯に適用し、ダイポールアンテナパターン１３を２．０４５ＧＨｚを中心周波数とする１．９２〜２．１７ＧＨｚの周波数帯に適用している。
【００１９】
ダイポールアンテナパターン１２，１２は、基板１１の長手方向に沿ってかつ互いに平行して形成され、この例では、それらの長さＬ１が約０．４λ（８８５ＭＨｚ）に設定されるとともに、それらの間隔Ｌ２が約０．１５λ（８８５ＭＨｚ）に設定されている。
また、ダイポールアンテナパターン１３，１３は、それぞれダイポールアンテナパターン１２，１２に平行するようにそれらの外側に配設され、この例では、それらの長さＬ３が約０．３７λ（２．０４５Ｇ）に設定されるとともに、それらの間隔Ｌ４が約０．５２λ（２．０４５ＧＨｚ）に設定されている。
【００２０】
ダイポールアンテナパターン１２，１２の一方の給電点１２ａ，１２ａとダイポールアンテナパターン１３，１３の一方の給電点１３ａ，１３ａは、給電点１２ａ，１２ａ間に介在する薄膜導体からなる給電ラインパターン１５ａによって共通接続され、また、ダイポールアンテナパターン１２，１２の他方の給電点１２ｂ，１２ｂとダイポールアンテナパターン１３，１３の他方の給電点１３ｂ，１３ｂは、給電点１２ｂ，１２ｂ間に介在する薄膜導体からなる給電ラインパターン１５ｂによって共通接続されている。
【００２１】
一方、プリント化給電回路２０は、図３に示すように、長手方向長が図２に示す基板１１のそれと等しく設定され、かつ、幅長Ｌ５が約０．１６λ（８８５ＭＨｚ），０．３８λ（２．０４５ＧＨｚ）に設定された長方形状の誘電体基板２１を備え、この基板２１の一方の面に薄膜導体からなる分岐回路パターン２２を形成するとともに、他方の面に薄膜導体からなるグランドパターン２３を形成してある。
【００２２】
分岐回路パターン２２は、基板２１の一端から中央部に至る主線路２２ａと、この主線路２２ａから左右に分岐する分岐線路２２ｂ，２２ｂとを有している。また、グランドパターン２３は、基板２１の中央部を長手方向に縦断する態様で形成され、その幅Ｌ６は、約０．０９λ（８８５ＭＨｚ），０．２０λ（２．０４５ＧＨｚ）に設定されている。
なお、主線路２２ａは、分岐線路２２ｂ，２２ｂとの整合をとるために、先端部に向かうほどその幅が広くなるように形成されている。
【００２３】
図１に示したように、上記各プリント化ダイポールアンテナ１０，１０の基板１１，１１は、ダイポールアンテナパターン１２，１３を形成した面が互いに対向するように平行に配設されている。また、プリント化給電回路２０の基板２１は、一側および他側が上記基板１１，１１の各長手方向中心軸線上に位置するように該基板１１，１１間に介在されている。したがって、組み合わされた基板１１，１１と基板２１は、Ｈ形の断面形状を有している。
【００２４】
プリント化給電回路２０における分岐回路パターン２２の各分岐線路２２ｂ，２２ｂは、それらの先端部が対応するプリント化ダイポールアンテナ１０，１０の給電ラインパターン１５ａの中間点にそれぞれハンダ付け等の手段で電気的に接続され、また、プリント化給電回路２０におけるグランドパターン２３は、上記各分岐線路２２ｂ，２２ｂの先端部に対応する部位においてプリント化ダイポールアンテナ１０，１０の給電ラインパターン１５ｂの中間点にそれぞれ同様の手段で電気的に接続される。
【００２５】
このような構成を有するこの実施の形態に係る無指向アンテナは、上記各基板１１，１１および２１が垂直な方向に向くように設置され、その際、プリント化給電回路２０における主線路２２ａの基端部とグランドパターン２３の対応する端部との間に図示していない給電ケーブルが接続される。なお、この給電ケーブルは、図示していない高周波コネクタを介して接続することができる。
【００２６】
図１に示すように、この無指向アンテナは、４つのダイポールアンテナパターン１２がそれぞれ略正四角形の各角部に位置され、また、４つのダイポールアンテナパターン１３が上記略正四角形よりも一辺が若干大きな四角形の各角部にそれぞれ位置されている。
垂直に向けられた４つのダイポールアンテナパターン１２の水平面内指向性は、それぞれ該パターン１２を中心とする円形であるから、これらのダイポールアンテナパターン１２の合成水平面内指向性は後述するように略円形になる。
【００２７】
同様に、垂直に向けられた４つのダイポールアンテナパターン１３の水平面内指向性は、それぞれ該パターン１３を中心とする円形であるから、これらのダイポールアンテナパターン１３の合成水平面内指向性も略円形になる。
つまり、４つのダイポールアンテナパターン１２からなるアンテナ構成体および４つのダイポールアンテナパターン１３からなるアンテナ構成体は、それぞれ無指向アンテナとしての機能を有する。
【００２８】
図４は、この実施の形態に係る無指向アンテナのＶ．Ｓ．Ｗ．Ｒ（電圧定在波比）特性を示している。なお、この図４において、横軸の目盛は２００ＭＨｚステップで付され、また、縦軸の目盛は５ｄＢステップで付されている。
この図４から明らかなように、この実施の形態に係る無指向アンテナは、４つのダイポールアンテナパターン１２からなるアンテナ構成体の作用により、使用周波数帯域８１０〜９６０ＭＨｚにおいて良好なＶ．Ｓ，Ｗ．Ｒ特性を示し、また、４つのダイポールアンテナパターン１３からなるアンテナ構成体の作用により使用周波数帯域１．９２〜２．１７ＧＨｚにおいて良好なＶ．Ｓ，Ｗ．Ｒ特性を示す。
【００２９】
一方、図５、図６および図７は、この実施の形態に係る無指向アンテナの周波数８１０．０ＭＨｚ、８８５．０ＭＨｚおよび９６０．０ＭＨｚについての水平面内指向特性を、また、図８、図９および図１０は、同アンテナの周波数１．９２ＧＨｚ、２．０４ＧＨｚおよび２．１７ＧＨｚについての水平面内指向特性をそれぞれ示している。
これらの図から明らかなように、この実施の形態に係る無指向アンテナは、使用周波数帯域においてほぼ円形の良好な水平面内指向特性を有する。
要するに、この実施の形態に係るアンテナは、良好なＶ．Ｓ，Ｗ．Ｒ特性および水平面内指向特性を有する２周波共用無指向アンテナとして作用する。
【００３０】
上記無指向アンテナの構成を基本として、２周波共用無指向アレーアンテナを構成することも可能であり、この場合には、図１１に示すようなプリント化ダイポールアレーアンテナ１００の対と、図１２に示すようなプリント化給電回路２００とが図１に示す態様で組み合わされる。
【００３１】
プリント化ダイポールアレーアンテナ１００は、図２に示したプリント化ダイポールアンテナ１０を４個接続した構成を有する。すなわち、このプリント化ダイポールアレーアンテナ１００は、ダイポールアンテナパターン１２，１２、ダイポールアンテナパターン１３，１３、および上記給電ラインパターン１５ａ，１５ｂの組を長尺状の誘電体基板１１０の長手方向に４組配列形成してある。
なお、各パターンの組間には、シールドポストパターン１６がそれぞれ薄膜導体によって形成されている。また、各パターンの組の配列間隔Ｌ７は、約０．４４λ（８８５ＭＨｚ），１．００λ（２．０４５ＧＨｚ）に設定されている。
【００３２】
一方、図１２に示すプリント化給電回路２００は、上記基板１１０の長さに対応する長さを有した誘電体基板２１０を備え、この基板２１０の一方の面に薄膜導体からなる分岐回路パターン２２０を形成するとともに、他方の面に薄膜導体からなるグランドパターン２３０を形成してある。
【００３３】
分岐回路パターン２２０は、いわゆる並列給電回路を構成している。すなわち、基板２１０の中央部から図１２の上下方向に分岐する一対の主線路２２０ａと、各主線路２２０ａの先端から左右に分岐する分岐線路２２０ｂ，２２０ｂと、これらの線路２２０ｂの先端からそれぞれ上下方向に分岐する分岐線路２２０ｃとを有している。また、グランドパターン２３０は、給電回路パターン２２０の背面に位置し、基板２１０の中央部をその長手方向に沿って縦断する態様で形成されている。
【００３４】
上記各基板１１０，１１０および２１０は、図１に示すように、前述した無指向アンテナの各基板１１，１１および２１と同様の態様で配置される。そして、プリント化給電回路２００における分岐回路パターン２２０の各分岐線路２２０ｃは、それらの先端部が対応するプリント化ダイポールアレーアンテナ１００の対応する給電ラインパターン１５０ａの中間点にそれぞれハンダ付け等の手段によって電気的に接続され、また、プリント化給電回路２００におけるグランドパターン２３０は、上記各分岐線路２２０ｃの先端部に対応する部位においてプリント化ダイポールアレーアンテナ１００の対応する給電ラインパターン１５ｂの中間点にそれぞれ同様の手段によって電気的に接続される。
更に、上記グランドパターン２３０は、各ダイポールアレーアンテナ１００の各シールドポスト１６の中点にそれぞれハンダ付け等の手段によって電気的に接続される。
【００３５】
このような構成を有するこの実施の形態に係る無指向アレーアンテナにおいては、プリント化給電回路２００における各主線路２２０ａの分岐端とグランドパターン２３０の対応する部位に図示していない高周波コネクタを介して給電ケーブル１７０が接続される。
【００３６】
図１に示すように、給電回路基板２１０におけるグランドパターン２３０が形成された面側には、該パターン２３０に対向する導体板１８０がこの基板２１０の長手方向に沿って配設されており、上記給電ケーブル１７０は、この導体板１８０とグランドパターン２３０との間に形成されたスペースに収納される。
給電回路基板２１０の反対の面側にも導体板１８０′が設けられているが、これは、電気的なバランスをとるためのものである。なお、上記導体板１８０，１８０′は、共に接地されているので、図示していない避雷針を設けた場合の接地線路としても活用することができる。
【００３７】
この無指向アレーアンテナは、前述した無指向アンテナを素子アンテナとして、この素子アンテナを４個直線状に配列した構成を有する。つまり、４素子１ブロック構成のアレーアンテナである。個々の素子アンテナのＶ．Ｓ，Ｗ．Ｒ特性は、図４に示した通りである。したがって、この無指向アレーアンテナも、図１３に示すように、使用周波数帯域８１０〜９６０ＭＨｚおよび１．９２〜２．１７ＧＨｚにおいて良好なＶ．Ｓ，Ｗ．Ｒ特性を示す。
【００３８】
この無指向アレーアンテナは、各プリント化ダイポールアレーアンテナ１００と、プリント化給電回路２００とを断面Ｈ状に組み合わすだけで極めて容易に構成することができる。また、一本の給電ケーブル１７０を用いての給電が可能であり、しかも、給電ケーブル１７０を前記接地導体板１８０とグランドパターン２３０との間に形成されたスペースに収納することができるので、この給電ケーブルの影響を受けない良好な指向特性を得ることができる。
なお、前記シールドポストパターン１６は、隣接するダイポールアンテナパターン１２，１２相互間をシールドして、Ｖ．Ｓ．Ｗ．Ｒ特性を向上させる作用をなす。
【００３９】
上記４素子１ブロックの無指向アレーアンテナを縦方向に複数段配列すれば、さらに素子アンテナ数の多い大型の無指向アレーアンテナを構成することができる。すなわち、例えば、図１４に示すように、上記４素子１ブロックの無指向アレーアンテナを４ブロック（１Ｂ〜４Ｂ）多段接続すれば、１６素子の無指向アレーアンテナを構成することができる。
【００４０】
この場合、個々のブロック１Ｂ〜４Ｂの無指向アレーアンテナに接続された各給電ケーブル１７０は、４電力分配器３０、分波器３１を介して０．８ＧＨｚ帯接続端子３２および２ＧＨｚ帯接続端子３３に接続される。もちろん、これらの給電ケーブル１７０は、図１に示すグランドパターン２３０と導体板１８０との間に収納されるので、これらの給電ケーブル１７０およびその接続コネクタが指向性等に悪影響を与える虞はない。この４本の給電ケーブル１８０やそれを接続するためのコネクタを無造作に配置した場合、指向特性等の劣化を招くことになる。
なお、上記４本の給電ケーブル１７０の途中に移相器を挿入して、個々の素子アンテナにおけるビームのチルト角を変化させることも可能である。
【００４１】
ところで、図２および図１１に示したダイポールアンテナパターン１３，１３は、その給電点１３ａ，１３ｂがそれぞれ給電ラインパターン１５ａ，１５ｂを介して対応するダイポールアンテナパターン１２，１２の給電点１２ａ，１２ｂに接続されているが、図１５に示すように、ダイポールアンテナパターン１３，１３を対応するダイポールアンテナパターン１２，１２から切離して形成することも可能である。
この場合、ダイポールアンテナパターン１３，１３は、図３および図１２に示したプリント化給電回路２０および２００から切離されるが、共振によって適用周波数帯のダイポールアンテナとして作動することになる。
【００４２】
また、図２および図１１に示したダイポールアンテナパターン１３，１３は、それぞれ対応するダイポールアンテナパターン１２，１２の外側近傍に形成されているが、図１６に示すように、ダイポールアンテナパターン１２，１２に相対向する一対の略Ｕ字状の切欠き部１２ｃを設けることによって、このポールアンテナパターン１２，１２の内部にポールアンテナパターン１３，１３を形成することも可能である。
【００４３】
以上においては、２周波に共用する無指向アンテナについて説明したが、３周波以上の波に共用する無指向アンテナも構成することができる。すなわち、例えば、３周波に共用する無指向アンテナを構成する場合には、図２に示したダイポールアンテナパターン１３，１３の側近に該ダイポールアンテナパターン１３，１３およびダイポールアンテナパターン１２，１２とは長さの異なる別のダイポールアンテナパターンをそれぞれ形成すれば良い。
また、図１６の例では、ダイポールアンテナパターン１３，１３に上記した略Ｕ字状の切欠き部１２ｃと同様の切欠き部を設けて、このポールアンテナパターン１３，１３内に別のダイポールアンテナパターンを形成すれば良い。
【００４４】
【発明の効果】
本発明によれば、小型かつコンパクトな無指向アンテナおよびアレー構成の無指向アンテナを構成することができる。
また、複数の周波に共用することができる無指向アンテナおよびアレー構成の無指向アンテナを容易、かつ、コンパクト性を損なうことなく構成することができる。
そして、アレー構成の無指向アンテナにおいては、プリント化給電回路のグランドパターンとこれに対向するカバープレートとの間に給電ケーブルを配設することにより、この給電ケーブルによる影響を抑制して、より良好な指向特性を得ることができる。
【図面の簡単な説明】
【図１】本発明に係る無指向アンテナの実施の形態を示す断面図である。
【図２】プリント化ダイポールアンテナの一構成例を示す平面図である。
【図３】プリント化給電回路の一構成例を示す平面図である。
【図４】本発明に係る無指向アンテナのＶ．Ｓ．Ｗ．Ｒ特性を例示したグラフである。
【図５】本発明に係る無指向アンテナの周波数８１０．０ＭＨｚについての水平面内指向特性を例示したグラフである。
【図６】本発明に係る無指向アンテナの周波数８８５．０ＭＨｚについての水平面内指向特性を例示したグラフである。
【図７】本発明に係る無指向アンテナの周波数９６０．０ＭＨｚについての水平面内指向特性を例示したグラフである。
【図８】本発明に係る無指向アンテナの周波数１．９２ＧＨｚについての水平面内指向特性を例示したグラフである。
【図９】本発明に係る無指向アンテナの周波数２．０４５ＧＨｚについての水平面内指向特性を例示したグラフである。
【図１０】本発明に係る無指向アンテナの周波数２．１７ＧＨｚについての水平面内指向特性を例示したグラフである。
【図１１】プリント化ダイポールアレーアンテナの一構成例を示す平面図である。
【図１２】プリント化ダイポールアレーアンテナ用プリント化給電回路の一構成例を示す平面図である。
【図１３】本発明に係る無指向アレーアンテナのＶ．Ｓ．Ｗ．Ｒ特性を例示したグラフである。
【図１４】本発明に係る１６素子無指向アレーアンテナの電気接続形態の一例を示すブロック図。
【図１５】ダイポールアンテナパターンの他の構成例を示した平面図である。
【図１６】ダイポールアンテナパターンの更に別の構成例を示した平面図である。
【符号の説明】
１０，１００  プリント化ダイポールアンテナ
１１，１１０，２１，２１０  誘電体基板
１２，１３  ダイポールアンテナパターン
１２ａ，１２ｂ，１３ａ，１３ｂ  給電点
１２ｃ  切欠き部
１５ａ，１５ｂ  給電ラインパターン
２３，２３０  グランドパターン
１７０  給電ケーブル
１８０  導体板
【図１】
0003553032.tif 000002
【図２】
0003553032.tif 000003
【図３】
0003553032.tif 000004
【図４】
0003553032.tif 000005
【図５】
0003553032.tif 000006
【図６】
0003553032.tif 000007
【図７】
0003553032.tif 000008
【図８】
0003553032.tif 000009
【図９】
0003553032.tif 000010
【図１０】
0003553032.tif 000011
【図１１】
0003553032.tif 000012
【図１２】
0003553032.tif 000013
【図１３】
0003553032.tif 000014
【図１４】
0003553032.tif 000015
【図１５】
0003553032.tif 000016
【図１６】
0003553032.tif 000017